(57)【要約】      （修正有）【課題】接続作業を容易化することができる電子機器を提供すること。【解決手段】ＦＰＣ４には、タッチ電極面から引き回された回路基板５との接続箇所において、補強板４１が取り付けられる。補強板４１は、例えば、ポリイミド等といった比較的強度が高い樹脂材料で構成される。つまり、高強度の補強板４１を押し込むことにより、可撓性のＦＰＣ４を押し込む場合に比べて、回路基板５のコネクタ５１への接続作業を容易化することができる。【選択図】図２
2020003763.tif 000002
【特許請求の範囲】
【請求項１】
第１基板と、
前記第１基板の面方向に沿って前記第１基板に接続される可撓性の第２基板と、
前記面方向で前記第１基板よりも外側に配置され、前記第２基板から突出する突出部と
を備えることを特徴とする電子機器。
【請求項２】
前記第２基板は、
前記面方向で前記第１基板の外側へ突出して配置される補強板を有し、
前記突出部は、
前記補強板に配置されること
を特徴とする請求項１に記載の電子機器。
【請求項３】
前記第２基板は、
前記第１基板に沿って沿面する主面と、当該主面と交差する側面とを有し、
前記突出部は、
前記側面から突出すること
を特徴とする請求項１または２に記載の電子機器。
【請求項４】
前記突出部は、
前記第１基板に近い側よりも遠い側のほうが、突出方向への長さが長いこと
を特徴とする請求項１〜３のいずれか１つに記載の電子機器。
【請求項５】
前記突出部は、
前記第１基板に近い側の角部が円弧状であること
を特徴とする請求項１〜４のいずれか１つに記載の電子機器。
【発明の詳細な説明】
【技術分野】
【０００１】
本発明は、電子機器に関する。
【背景技術】
【０００２】
従来、例えば回路基板にフレキシブルプリント基板（ＦＰＣ：Flexible  Printed  Circuit）が接続される電子機器が知られている（例えば、特許文献１参照）。
【先行技術文献】
【特許文献】
【０００３】
【特許文献１】特開２０１５−１８９９９号公報
【発明の概要】
【発明が解決しようとする課題】
【０００４】
しかしながら、上記した電子機器において、例えば、回路基板の面方向に沿ってフレキシブルプリント基板を接続する接続作業は、作業者にとって容易な作業ではない。
【０００５】
本発明は、上記に鑑みてなされたものであって、接続作業を容易化することができる電子機器を提供することを目的とする。
【課題を解決するための手段】
【０００６】
上述した課題を解決し、目的を達成するために、本発明に係る電子機器は、第１基板と、第２基板と、突出部とを備える。前記第２基板は、可撓性であって、前記第１基板の面方向に沿って前記第１基板に接続される。前記突出部は、前記面方向で前記第１基板よりも外側に配置され、前記第２基板から突出する。
【発明の効果】
【０００７】
本発明によれば、接続作業を容易化することができる。
【図面の簡単な説明】
【０００８】
【図１】図１は、実施形態に係るナビゲーション装置の正面図である。
【図２】図２は、実施形態に係るナビゲーション装置の背面図である。
【図３】図３は、実施形態に係るナビゲーション装置の斜視図である。
【図４】図４は、ＦＰＣの回路基板への接続作業を示す図である。
【図５】図５は、ＦＰＣがコネクタに接続された状態を示す図である。
【図６】図６は、変形例に係るＦＰＣを示す図である。
【発明を実施するための形態】
【０００９】
以下、添付図面を参照して、本願の開示する電子機器の実施形態を詳細に説明する。なお、この実施形態により本発明が限定されるものではない。また、以下では、電子機器として、タッチパネルを備えたナビゲーション装置を一例に挙げて説明する。なお、電子機器は、ナビゲーション装置に限定されるものではなく、例えば、スマートフォン等といった任意の電子機器であってもよい。また、以下に示す図面では、ナビゲーション装置の正面方向をＺ軸正方向とする直交座標系を示す場合がある。
【００１０】
まず、図１〜図３を用いて、実施形態に係る電子機器であるナビゲーション装置の概要について説明する。図１は、実施形態に係るナビゲーション装置の正面図である。図２は、実施形態に係るナビゲーション装置の背面図である。図３は、実施形態に係るナビゲーション装置の斜視図である。
【００１１】
図１〜図３に示すように、実施形態に係るナビゲーション装置１は、略矩形形状で平板状の電子機器である。ナビゲーション装置１は、図２に示す背面側が、例えば、車両のインストルメントパネル等といった被設置体に設置される。
【００１２】
また、ナビゲーション装置１は、パネル部２と、フレーム３と、ＦＰＣ４（第２基板の一例）と、回路基板５（第１基板の一例）と、液晶ホルダ６とを備える。
【００１３】
パネル部２は、例えば、透光性を有する樹脂材料やガラス等で構成され、ＦＰＣ４を保護する保護部材である。
【００１４】
フレーム３は、パネル部２、ＦＰＣ４、回路基板５および液晶ホルダ６を収容する枠部材である。フレーム３の中央領域は、パネル部２を露出させるための開口部となっている。フレーム３は、例えば、樹脂材料や金属材料等といった比較的剛性が高い材料で構成される。
【００１５】
ＦＰＣ４は、例えば、フレキシブルプリント基板であり、可撓性を有する。ＦＰＣ４は、パネル部２の背面側に積層されるタッチ電極面により、ユーザの指先やスタイラスペン等によるパネル部２へのタッチ操作等を受け付ける。
【００１６】
また、ＦＰＣ４には、タッチ電極面から引き回された回路基板５との接続箇所において、補強板４１が取り付けられる。補強板４１は、例えば、ポリイミド等といった比較的強度が高い樹脂材料で構成される。つまり、高強度の補強板４１を押し込むことにより、可撓性のＦＰＣ４を押し込む場合に比べて、回路基板５のコネクタ５１への接続作業を容易化することができる。
【００１７】
また、ＦＰＣ４の補強板４１には、位置決め部４１０および突出部４１１が設けられるが、かかる点については後述する。
【００１８】
回路基板５は、板状の硬質基板であり、ナビゲーション装置１の各種制御を行う電子部品が搭載される。また、回路基板５は、コネクタ５１を有する。コネクタ５１は、ＦＰＣ４が電気的に接続される部位である。具体的には、ＦＰＣ４は、回路基板５の面方向（ＸＹ平面）に沿って配置され、回路基板５のコネクタ５１に接続される。これにより、ＦＰＣ４で検出したユーザのタッチ操作の情報を回路基板５へ出力可能となる。
【００１９】
液晶ホルダ６は、ＦＰＣ４のタッチ電極面および回路基板５の間に固定されるとともに、ＦＰＣ４側に配置される図示しない液晶表示装置を支持する。液晶表示装置は、例えば、ＬＣＤ（Liquid  Crystal  Display）であり、ユーザによってタッチ操作される対象となるアイコンやスイッチ等の画像を表示する。
【００２０】
ここで、図４を用いて、ＦＰＣ４の回路基板５への接続作業について説明する。図４は、ＦＰＣ４の回路基板５への接続作業を示す図である。図４に示すように、ＦＰＣ４の補強板４１には、位置決め部４１０と、突出部４１１とが形成される。
【００２１】
接続作業では、ＦＰＣ４は、回路基板５の面方向に沿ってコネクタ５１に接続される。具体的には、ＦＰＣ４は、回路基板５の外側から内側（すなわち、Ｙ軸正方向）へ向かって押し込まれて接続される。このとき、図４の下段に示すように、回路基板５に印刷された位置決めパターン５２と位置決め部４１０とがＸ軸方向に揃うようにする。
【００２２】
つまり、作業者であるユーザは、位置決めパターン５２と位置決め部４１０との位置関係により、ＦＰＣ４が適正に接続されたか否かを確認することができる。
【００２３】
ところで、従来のＦＰＣを接続する接続作業は、作業者にとって容易ではなかった。具体的には、従来は、ＦＰＣの側面（Ｘ軸方向側の側面）側を摘まみながら押し込んで接続していた。しかしながら、従来のＦＰＣには指の引っ掛かる部位が無いため、力がかけにくく、さらには指が滑りやすい。このため、ＦＰＣを容易に接続することができないおそれがあった。
【００２４】
そこで、実施形態に係るナビゲーション装置１では、ＦＰＣ４に突出部４１１が形成される。具体的には、突出部４１１は、ＦＰＣ４から突出し、面方向で回路基板５よりも外側に配置される。かかる突出部４１１は、接続作業の際に、作業者であるユーザの指Ｕが引っ掛かる部位となる。
【００２５】
具体的には、図４の上段に示すように、突出部４１１に対してコネクタ５１とは反対側に指Ｕが入る。そして、ユーザは、Ｙ軸正方向側であるコネクタ５１側へ補強板４１を指Ｕで押し込むことで、ＦＰＣ４を回路基板５に接続する。
【００２６】
つまり、ユーザは、従来のようにＦＰＣを摘まんで押し込むのではなく、突出部４１１を指Ｕで押すことでＦＰＣ４を回路基板５へ接続する。このため、従来に比べて力がかけ易く、さらには突出部４１１に引っ掛かることで指Ｕが滑ることもない。従って、実施形態に係るナビゲーション装置１は、接続作業を容易化することができる。さらに、従来のようにＦＰＣを摘まむためのスペースが必要なくなるため、ナビゲーション装置１の小型化にも資することができる。
【００２７】
次に、図５を用いて、実施形態に係るＦＰＣ４についてさらに説明する。図５は、ＦＰＣ４がコネクタ５１に接続された状態を示す図である。
【００２８】
図５に示すように、補強板４１は、回路基板５に沿って延面する主面４１ａと、主面４１ａと交差（例えば、直交）する側面４１ｂとを有する。突出部４１１は、補強板４１の両側の側面４１ｂから突き出た部位である。なお、突出部４１１は、両側の側面４１ｂのうち、いずれか一方の側面４１ｂのみから突き出た部位であってもよい。
【００２９】
このように、突出部４１１が硬質な補強板４１に配置されることで、作業者が接続作業時に力をかけやすくできる。さらに、突出部４１１が補強板４１の側面４１ｂから突出することにより、ナビゲーション装置１の厚みが厚くなることを防ぐことができる。
【００３０】
なお、図５では、突出部４１１は、補強板４１の側面４１ｂから突出する場合を示したが、突出部４１１は、主面４１ａからＺ軸正方向側へ向かって突出した部位であってもよい。
【００３１】
また、突出部４１１は、Ｚ軸方向から見て略台形状であり、３つの面により構成される。具体的には、突出部４１１は、第１面４１１ａと、第２面４１１ｂと、第３面４１１ｃとにより構成される。第１面４１１ａは、回路基板５から遠い側の面であり、側面４１ｂに対して直交するＸＺ平面である。
【００３２】
第２面４１１ｂは、Ｚ軸方向から見て、一端が第１面４１１ａと連結し、他端が第３面４１１ｃと連結する面である。また、第２面４１１ｂは、Ｚ軸方向から見て凸状となるような曲面形状を有する。第３面４１１ｃは、第２面４１１ｂと連続する面であり、突出部４１１のうち、回路基板５に最も近い側の面である。また、第３面４１１ｃは、側面４１ｂに対して直交するＸＺ平面、すなわち、第１面４１１ａと略平行な面である。
【００３３】
また、図５に示すように、突出部４１１は、第１面４１１ａの突出方向（Ｘ軸方向）への長さＤ２が第３面４１１ｃの突出方向への長さＤ１よりも長い。つまり、突出部４１１は、回路基板５に近い側（第３面４１１ｃ）よりも遠い側（第１面４１１ａ）のほうが、突出方向への長さが長い。
【００３４】
換言すれば、突出部４１１は、回路基板５に近づくに従って突出方向への長さが短くなるように形成される。これにより、ユーザは、接続時には、第１面４１１ａをＹ軸正方向に向かって押すこととなり、取り外し時には、第３面４１１ｃをＹ軸負方向に向かって押すこととなる。
【００３５】
すなわち、第１面４１１ａは、指が引っ掛かりやすいため、接続作業を容易にすることができるとともに、第３面４１１ｃは、長さＤ１が長さＤ２よりも短いため、指が引っ掛かりにくく、意図しない離脱を防ぐことができる。
【００３６】
さらに、上記したように、突出部４１１の第２面４１１ｂは、回路基板５側が曲面形状となっている。すなわち、突出部４１０は、Ｚ軸方向から見て、回路基板５に近い側の角部が円弧状である。
【００３７】
これにより、第３面４１１ｃ側が、さらに指が引っ掛かりにくくなるため、意図しない離脱を防ぐことができる。
【００３８】
また、図５に示すように、ＦＰＣ４が接続された状態において、突出部４１１は、回路基板５から所定の長さＨだけ離れていることが好ましい。所定の長さＨは、例えば、作業者であるユーザの指の厚みに相当する長さである。
【００３９】
これにより、ＦＰＣ４の取り外し（あるいは再接続のための取り外し）作業を容易化することができる。
【００４０】
なお、図５では、突出部４１１は、３面構成（第１面４１１ａ、第２面４１１ｂおよび第３面４１１ｃ）である場合を示したが、突出部４１１は、２面構成であってもよく、４面以上で構成されてもよい。
【００４１】
また、突出部４１１は、上面視で略台形状である場合を示したが、略台形状に限らず、三角形状や、矩形状（あるいは多角形状）であってもよい。
【００４２】
また、図５に示すように、ＦＰＣ４は、位置決め部４１０を有する。位置決め部４１０は、補強板４１の側面４１ｂから突出する略矩形の凸状部位である。
【００４３】
また、図５に示すように、位置決め部４１０は、コネクタ５１に接続された状態において、位置決めパターン５２とＸ軸方向（Ｙ軸方向である接続方向と直交する方向）に揃う位置関係となる。換言すれば、位置決め部４１０は、Ｚ軸方向から見て、回路基板５の内側に配置される。
【００４４】
なお、図５では、位置決め部４１０は、凸状部位である場合を示しているが、例えば、位置決め部４１０は、凹状部位であってもよい。あるいは、位置決め部４１０は、補強板４１の主面４１ａに所定のパターンが印刷されてもよい。
【００４５】
上述してきたように、実施形態に係るナビゲーション装置１（電子機器の一例）は、回路基板５（第１基板の一例）と、ＦＰＣ４（第２基板の一例）と、突出部４１１とを備える。ＦＰＣ４は、可撓性であって、回路基板５の面方向に沿って回路基板５に接続される。突出部４１１は、面方向で回路基板５よりも外側に配置され、ＦＰＣ４から突出する。これにより、ＦＰＣ４の回路基板５への接続作業を容易化することができる。
【００４６】
なお、上述した実施形態では、位置決め部４１０が形成される場合を示したが、例えば、位置決め部４１０を省略して、代わりに突出部４１１が位置決め部４１０の機能を有してもよい。かかる点について、図６を用いて説明する。
【００４７】
図６は、変形例に係るＦＰＣ４を示す図である。図６に示す変形例は、補強板４１に位置決め部４１０が形成されていないこと、および、接続状態における突出部４１１の位置が上述した実施形態とは異なる。
【００４８】
具体的には、突出部４１１は、ＦＰＣ４が回路基板５に接続された状態において、回路基板５の周縁５ａと、突出部４１１の第３面４１１ｃとがＺ軸方向から見て重なる位置関係となる。つまり、ＦＰＣ４が適正に接続された場合には、回路基板５の周縁５ａと、突出部４１１の第３面４１１ｃとが重なる位置関係となる。
【００４９】
すなわち、変形例では、突出部４１１の第３面４１１ｃが上述した実施形態に係る位置決め部４１０の機能を有する。これにより、位置決め部４１０を形成する必要がない。
【００５０】
このように、突出部４１１が位置決め部４１０の機能を併せ持つことにより、位置決め部４１０の形成工程、および、上記した位置決めパターン５２の形成工程が不要となるため、製造工程を簡易化できるとともに、製造コストを抑えることができる。
【００５１】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００５２】
１    ナビゲーション装置
２    パネル部
３    フレーム
４    ＦＰＣ
５    回路基板
６    液晶ホルダ
４１    補強板
５１    コネクタ
５２    位置決めパターン
４１０    位置決め部
４１１    突出部
【図１】
2020003763.tif 000003
【図２】
2020003763.tif 000004
【図３】
2020003763.tif 000005
【図４】
2020003763.tif 000006
【図５】
2020003763.tif 000007
【図６】
2020003763.tif 000008